(57)【特許請求の範囲】
【請求項１】
特定グループに属する利用者が保有し、表示手段及び操作入力手段を備える移動通信端末装置における前記特定グループに対応した機能動作の設定を行う機能動作設定方法であって、
前記特定グループの管理者端末装置において、前記移動通信端末装置におけるマンマシンインターフェース機能動作を含む機能動作の仕様を決定する仕様決定工程と；
前記管理者端末装置が、前記仕様決定工程において決定された機能動作の仕様を指定する仕様パラメータを、前記移動通信端末装置の端末識別子とともに仕様登録サーバへ送信する仕様パラメータ送信工程と；
前記仕様パラメータを受けた前記仕様登録サーバが、新たな仕様パラメータが登録された旨の仕様登録通知を前記移動通信端末装置へ送る仕様登録通知工程と；
前記仕様登録通知を受けた前記移動通信端末装置が、前記仕様登録サーバから前記仕様パラメータを取得する仕様パラメータ取得工程と；
前記移動通信端末装置が、前記仕様パラメータ取得工程において取得された前記仕様パラメータに従って機能実装を行う機能実装工程と；を備え、
前記仕様パラメータには、前記操作入力手段における少なくとも１つのハードキーの機能指定が含まれる、
ことを特徴とする機能動作設定方法。
【請求項２】
前記移動通信端末装置は、通話機能が予め実装され、
前記ハードキーの機能指定の少なくとも１つは、前記ハードキーが長押しされた場合に、特定の通話相手への通話発信機能である、
ことを特徴とする請求項１に記載の機能動作設定方法。
【請求項３】
前記機能実装工程における機能実装を完了した前記移動通信端末装置が、機能実装完了報告を前記仕様登録サーバへ報告する実装完了報告工程と；
前記機能実装完了報告を受けた前記仕様登録サーバが、前記機能実装完了報告を前記管理者端末装置へ転送する実装完了転送工程と；
を更に備えることを特徴とする請求項１又は２に記載の機能動作設定方法。
【請求項４】
前記仕様パラメータには、前記特定グループのロゴ画像のデータが更に含まれる、ことを特徴とする請求項１〜３のいずれか一項に記載の機能動作設定方法。
【請求項５】
前記仕様パラメータには、少なくとも１つのソフトキーの機能指定が更に含まれる、ことを特徴とする請求項１〜４のいずれか一項に記載の機能動作設定方法。
【請求項６】
前記ソフトキーの機能指定の少なくとも１つは、特定ウェブサイトへのアクセスに関するショートカット機能指定が含まれる、ことを特徴とする請求項５に記載の機能動作設定方法。
【請求項７】
前記仕様パラメータには、前記表示手段への適時情報表示機能指定が更に含まれる、ことを特徴とする請求項１〜６のいずれか一項に記載の機能動作設定方法。
【請求項８】
前記管理者端末装置が、前記移動通信端末装置の前記表示手段に直ちに表示されるべき適時情報のみを、前記移動通信端末装置の端末識別子とともに前記仕様登録サーバへ送信する適時情報送信工程と；
前記適時情報を受けた前記仕様登録サーバが、新たな適時情報が登録された旨の適時情報登録通知を前記移動通信端末装置へ送る適時表示登録通知工程と；
前記移動通信端末装置が、前記仕様登録サーバから前記適時情報を取得する適時情報取得工程と；
前記移動通信端末装置が、前記適時情報取得工程において取得された前記適時情報を前記表示手段に表示する適時情報表示工程と；
を更に備えることを特徴とする請求項７に記載の機能動作設定方法。
【請求項９】
前記適時情報表示工程における表示を行った前記移動通信端末装置が、適時表示完了報告を前記仕様登録サーバへ報告する適時表示完了報告工程と；
前記適時表示完了報告を受けた前記仕様登録サーバが、前記適時表示完了報告を前記管理者端末装置へ転送する実装完了転送工程と；
を更に備えることを特徴とする請求項８に記載の機能動作設定方法。
【請求項１０】
前記適時情報には、表示期限情報が含まれる、ことを特徴とする請求項８又は９に記載の機能動作設定方法。
【請求項１１】
前記適時情報は、テロップ表示情報である、ことを特徴とする請求項８〜１０のいずか一項に記載の機能動作設定方法。
【請求項１２】
特定グループに属する利用者が保有し、表示手段及び操作入力手段を備える移動通信端末装置と；前記移動通信端末装置の機能動作の仕様を管理する管理者端末装置と；前記移動通信端末装置の機能動作の仕様が登録される仕様登録サーバと；を備える機能動作設定システムであって、
前記管理者端末装置は、
前記移動通信端末装置における前記特定グループに対応したマンマシンインターフェース機能動作を含む機能動作の仕様を決定する仕様決定手段と；
前記仕様決定手段により決定された機能動作の仕様を指定する仕様パラメータを、前記移動通信端末装置の端末識別子とともに前記仕様登録サーバへ送信する仕様パラメータ送信手段；を備え、
前記仕様登録サーバは、前記管理者端末装置から前記仕様パラメータを受けた場合に、新たな仕様パラメータが登録された旨の仕様登録通知を前記移動通信端末装置へ送る仕様登録通知手段を備え、
前記移動通信端末装置は、
前記仕様登録サーバから前記仕様登録通知を受けた場合に、前記仕様登録サーバから前記仕様パラメータを取得する仕様パラメータ取得手段と；
前記仕様パラメータ取得手段により取得された前記仕様パラメータに従って機能実装を行う機能実装手段と；を更に備え、
前記仕様パラメータには、前記操作入力手段における少なくとも１つのハードキーの機能指定が含まれる、
ことを特徴とする機能動作設定システム。
【発明の詳細な説明】
【技術分野】
【０００１】
本発明は、機能動作設定方法、機能動作設定システム、移動通信端末装置及び機能設定プログラムに係る。より詳しくは、本発明は、特定グループに属する利用者が保有し、表示手段及び操作入力手段を備える移動通信端末装置における特定グループに対応した機能動作の設定を行う機能動作設定方法と、当該機能設定方法が使用される機能動作設定システムに関する。また、本発明は、当該機能動作設定システムで採用可能な移動通信端末装置、及び、当該移動通信端末装置において実行される機能設定プログラムに関する。
【背景技術】
【０００２】
従来から、携帯電話装置を代表とする移動通信端末装置が広く普及している。こうした移動端末装置の紛失や盗難が発生した場合に、顧客連絡先等の当該移動端末装置の利用者が属する会社等のグループにとって秘密にしておきたい情報を、当該グループに属する利用者が保有する携帯電話装置の管理端末装置からリモートで、当該携帯電話装置から消去する技術が提案されている（特許文献１参照：以下、「従来例」という）。
【０００３】
この従来例の技術では、管理者端末装置から消去サービスサーバに対して、消去対象情報及び当該消去対象情報が保持されている移動端末装置の識別子を指定した消去要求を送ると、消去要求を受けた消去サービスサーバが、当該移動通信端末に対して、例えばショートメッセージ形式で、消去要求文を本文とする消去用電子メールを送信する。
【０００４】
かかる消去用電子メールを受けた移動端末装置では、消去対象情報を消去する。そして、消去が完了すると、消去サービスサーバを介して、管理者端末装置へ消去完了報告を送るようになっている。
【０００５】
【特許文献１】特開２００６−１８０１７１号公報
【発明の開示】
【発明が解決しようとする課題】
【０００６】
上述した従来例の技術は、特定グループに属する利用者が保有する移動通信端末装置内の特定グループにとっての機密情報を、当該特定クループの管理者が管理し、当該機密情報のセキュリティを向上させる技術としては、優れたものである。しかしながら、従来例の技術は、情報消去に特化したものであり、当該特定グループの管理者として管理することが好ましいと考えられる業務画面仕様や、特定キーへの特定機能を割り付けるといった情報消去機能以外の機能動作の仕様の管理については、無力であった。
【０００７】
また、こうした機能動作の仕様は、時間が経過すると、変更することが好ましくなる事態の発生が予想される。かかる仕様変更に際しても、従来例の技術は無力であり、現状においては、新たな機能仕様が実装された移動通信端末装置を各利用者に配布するか、新たな機能仕様で動作されるためのプログラムのダウンロードを、各利用者に依頼するしかない。
【０００８】
このため、特定グループに属する利用者が保有する移動通信端末装置の様々な機能動作の仕様を、当該特定グループの管理者の主導のもとで、簡易にかつ確実に、設定し、管理することができる技術が待望されている。
【０００９】
本発明は、上記の事情のもとでなされたものであり、特定グループに属する利用者が保有する移動通信端末装置の機能動作の仕様を、当該特定グループの管理者の主導のもとで、簡易にかつ確実に、設定し、管理することができる機能動作設定方法及び機能動作設定システムを提供することを目的とする。
【００１０】
また、本発明は、本発明の機能システムの構築に際して、好適に採用することができる移動通信端末装置及び当該移動端末装置で実行される機能動作設定プログラムを提供することを目的とする。
【課題を解決するための手段】
【００１１】
本発明は、第１の観点からすると、特定グループに属する利用者が保有し、表示手段及び操作入力手段を備える移動通信端末装置における前記特定グループに対応した機能動作の設定を行う機能動作設定方法であって、前記特定グループの管理者端末装置において、前記移動通信端末装置におけるマンマシンインターフェース機能動作を含む機能動作の仕様を決定する仕様決定工程と；前記管理者端末装置が、前記仕様決定工程において決定された機能動作の仕様を指定する仕様パラメータを、前記移動通信端末装置の端末識別子とともに仕様登録サーバへ送信する仕様パラメータ送信工程と；前記仕様パラメータを受けた前記仕様登録サーバが、新たな仕様パラメータが登録された旨の仕様登録通知を前記移動通信端末装置へ送る仕様登録通知工程と；前記仕様登録通知を受けた前記移動通信端末装置が、前記仕様登録サーバから前記仕様パラメータを取得する仕様パラメータ取得工程と；前記移動通信端末装置が、前記仕様パラメータ取得工程において取得された前記仕様パラメータに従って機能実装を行う機能実装工程と；を備え、前記仕様パラメータには、前記操作入力手段における少なくとも１つのハードキーの機能指定が含まれる、ことを特徴とする機能動作設定方法である。
【００１２】
この機能動作設定方法では、まず、仕様決定工程において、特定グループの管理者端末装置において、当該特定グループに属する利用者が保有する移動通信端末装置におけるマンマシンインターフェース機能動作を含む機能動作の仕様が決定される。かかる仕様の決定は、例えば、管理者端末装置のオペレータが、予め定められている設定可能な機能動作の仕様が列挙された仕様決定用画面を見ながら、設定する機能動作の仕様を指定するパラメータを入力することにより行われる。なお、機能動作の仕様は、特定グループに属する者の全員に共通の仕様である場合であるもあるし、特定グループに属する特定者からの要望に応じて、共通仕様からの変形の許容範囲でカスタマイズされた仕様である場合もある。
【００１３】
こうして機能動作の仕様が決定されると、仕様パラメータ送信工程において、管理者端末装置が、決定された機能動作の仕様を指定する仕様パラメータが、当該仕様が反映されるべき移動通信端末装置の端末識別子とともに仕様登録サーバへ送信される。この仕様パラメータ及び端末識別子を受けた仕様登録サーバは、仕様パラメータを登録する。この登録の際、仕様登録サーバでは、登録された仕様パラメータにユニークに対応する識別子、例えば、インターネット利用のアクセス時に使用されるＵＲＬ（Uniform Resource Locator）を付与する。
【００１４】
仕様パラメータの登録を完了すると、仕様登録サーバは、仕様登録通知工程において、先に管理者端末装置から受信した端末識別子により特定される移動通信端末装置へ、新たな仕様パラメータが登録された旨を、当該新たな仕様パラメータの識別子を添えて、仕様登録通知として送る。この仕様登録通知を受けた移動通信端末装置は、仕様パラメータ取得工程において、新たな仕様パラメータの識別子を利用して、仕様登録サーバから仕様パラメータを取得する。
【００１５】
こうして仕様パラメータを取得した移動通信端末装置は、機能実装工程において、取得された前記仕様パラメータに従って機能実装を行う。この結果、管理者端末装置で決定された機能動作の仕様による動作が、特定グループに属する利用者が保有する移動通信端末装置において可能となる。
なお、本発明の機能動作設定方法では、当該仕様パラメータには、当該操作入力手段における少なくとも１つのハードキーの機能指定が含まれている。この結果、特定グループ内で共通した機能を有するファンクションキーとして、移動通信端末装置の操作入力手段における少なくとも１つのハードキーを設定できる。このため、特定グループにおいて共通的に使用されることが多いと予測される操作を、簡易な操作で実現することができる操作環境をグループ構成員に適用することができる。
【００１６】
したがって、本発明の機能動作設定方法によれば、特定グループに属する利用者が保有する移動通信端末装置の機能動作の仕様を、当該特定グループの管理者の主導のもとで、簡易にかつ確実に、設定し、管理することができる。
本発明の機能動作設定方法では、前記移動通信端末装置が、通話機能が予め実装される場合には、前記ハードキーの機能指定の少なくとも１つが、前記ハードキーが長押しされた場合に、特定の通話相手への通話発信機能であるようにすることができる。
【００１７】
本発明の機能動作設定方法では、前記機能実装工程における機能実装を完了した前記移動通信端末装置が、機能実装完了報告を前記仕様登録サーバへ報告する実装完了報告工程と；前記機能実装完了報告を受けた前記仕様登録サーバが、前記機能実装完了報告を前記管理者端末装置へ転送する実装完了転送工程と；を更に備えるようにすることができる。この場合には、上記の機能実装を完了した移動通信端末装置が、実装完了報告工程において、機能実装完了報告を仕様登録サーバへ報告すると、仕様登録サーバが、実装完了転送工程において、当該機能実装完了報告を管理者端末装置へ転送する。このため、管理者端末装置において、設定しようとした機能が設定対象として指定した移動端末装置に実際に実装されたことを確認することができる。
【００１８】
また、本発明の機能動作設定方法では、前記仕様パラメータには、前記特定グループのロゴ画像のデータが含まれるようにすることができる。この場合には、特定グループに属する利用者が保有する移動通信端末装置の表示手段に当該ロゴ画像を表示させることができ、当該利用者の特定グループへの帰属意識や、特定グループの他の構成員との一体感を高めることができる。
【００１９】
また、本発明の機能動作設定方法では、前記仕様パラメータには、少なくとも１つのソフトキーの機能指定が含まれるようにすることができる。この場合には、特定グループ内で共通した機能を有するソフトキーをグループ構成員に提供できる。このため、特定グループにおいて共通的に使用されることが多いと予測される操作を、簡易な操作で実現することができる操作環境をグループ構成員に適用することができる。
【００２０】
ここで、前記ソフトキーの機能指定の少なくとも１つには、特定ウェブサイトへのアクセスに関するショートカット機能指定が含まれるようにすることができる。
【００２３】
また、本発明の機能動作設定方法では、前記仕様パラメータには、前記表示手段への適時情報表示機能指定が含まれるようにすることができる。この場合には、特定グループのグループが知っておくことが望ましいと考えられる適時情報を、適切なタイミングでグループ構成員に知らせることができる。
【００２４】
ここで、前記管理者端末装置が、前記移動通信端末装置の前記表示手段に直ちに表示されるべき適時情報のみを、前記移動通信端末装置の端末識別子とともに前記仕様登録サーバへ送信する適時情報送信工程と；前記適時情報を受けた前記仕様登録サーバが、新たな適時情報が登録された旨の適時情報登録通知を前記移動通信端末装置へ送る適時情報登録通知工程と；前記移動通信端末装置が、前記仕様登録サーバから前記適時情報を取得する適時情報取得工程と；前記移動通信端末装置が、前記適時情報取得工程において取得された前記適時情報を前記表示手段に表示する適時情報表示工程と；を更に備えるようにすることができる。
【００２５】
この場合には、適時情報として特定グループのグループ構成員の少なくとも一部に提供したい情報が発生し、当該少なくとも一部のグループ構成員に対して適時情報のみを変更したい場合には、まず、適時情報送信工程において、管理者端末装置が、適時情報のみを、適時情報を通知すべき移動通信端末装置の端末識別子とともに仕様登録サーバへ送信する。この適時情報を受けた仕様登録サーバは、当該適時情報を登録する。この登録の際、仕様登録サーバでは、上述した仕様パラメータの場合と同様にして、登録された適時情報にユニークに対応する識別子、例えば、インターネット利用のアクセス時に使用されるＵＲＬを付与する。
【００２６】
適時情報の登録を完了すると、仕様登録サーバは、適時情報登録通知工程において、管理者端末装置から当該適時情報とともに受信した端末識別子により特定される移動通信端末装置へ、新たな適時情報が登録された旨を、当該新たな適時情報の識別子を添えて、適時情報登録通知として送る。この適時情報を受けた移動通信端末装置は、適時情報取得工程において、新たな適時情報の識別子を利用して、仕様登録サーバから当該適時情報を取得する。
【００２７】
こうして適時情報を取得した移動通信端末装置は、表示手段に当該適時情報を表示する。この結果、管理者端末装置で指定された適時情報が、当該移動通信端末装置の利用者に提供される。
【００２８】
したがって、当該特定グループの管理者の主導のもとで、適時情報が、簡易にかつ迅速に、所望のグループ構成員に提供される。
【００２９】
かかる場合には、前記適時情報表示工程における表示を行った前記移動通信端末装置が、適時表示完了報告を前記仕様登録サーバへ報告する適時表示完了報告工程と；前記適時表示完了報告を受けた前記仕様登録サーバが、前記適時表示完了報告を前記管理者端末装置へ転送する実装完了転送工程と；を更に備えるようにすることができる。この場合には、上記の適時情報の表示を開始した移動通信端末装置が、適時表示完了報告工程において、適時表示完了報告を仕様登録サーバへ報告すると、仕様登録サーバが、適時表示転送工程において、当該適時表示完了報告を管理者端末装置へ転送する。このため、管理者端末装置において、新たな適時情報が提供対象として指定した移動端末装置に実際に表示されたことを確認することができる。
【００３０】
また、前記適時情報には、表示期限情報が含まれるようにすることができる。この場合には、表示期限情報に従って移動端末装置における表示を行うことにより、タイムリな情報では無くなった情報を当該移動通信端末装置において表示し続けることを防止することができる。
【００３１】
なお、前記適時情報をテロップ表示情報とすることができる。この場合には、表示に動きがあるテロップ表示により適時情報を利用者に提供できるので、利用者の適時情報の読み飛ばしを有効に防止することができる。
【００３２】
本発明は、第２の観点からすると、特定グループに属する利用者が保有し、表示手段及び操作入力手段を備える移動通信端末装置と；前記移動通信端末装置の機能動作の仕様を管理する管理者端末装置と；前記移動通信端末装置の機能動作の仕様が登録される仕様登録サーバと；を備える機能動作設定システムであって、前記管理者端末装置は、前記移動通信端末装置における前記特定グループに対応したマンマシンインターフェース機能動作を含む機能動作の仕様を決定する仕様決定手段と；前記仕様決定手段により決定された機能動作の仕様を指定する仕様パラメータを、前記移動通信端末装置の端末識別子とともに前記仕様登録サーバへ送信する仕様パラメータ送信手段；を備え、前記仕様登録サーバは、前記管理者端末装置から前記仕様パラメータを受けた場合に、新たな仕様パラメータが登録された旨の仕様登録通知を前記移動通信端末装置へ送る仕様登録通知手段を備え、前記移動通信端末装置は、前記仕様登録サーバから前記仕様登録通知を受けた場合に、前記仕様登録サーバから前記仕様パラメータを取得する仕様パラメータ取得手段と；前記仕様パラメータ取得手段により取得された前記仕様パラメータに従って機能実装を行う機能実装手段と；を更に備え、前記仕様パラメータには、前記操作入力手段における少なくとも１つのハードキーの機能指定が含まれる、ことを特徴とする機能動作設定システムである。
【００３３】
この機能動作設定システムでは、まず、特定グループの管理者端末装置における仕様決定手段が、当該特定グループに属する利用者が保有する移動通信端末装置におけるマンマシンインターフェース機能動作を含む機能動作の仕様を決定する。引き続き、管理者端末装置における仕様パラメータ送信手段が、決定された機能動作の仕様を指定する仕様パラメータを、当該仕様が反映されるべき移動通信端末装置の端末識別子とともに仕様登録サーバへ送信する。この仕様パラメータ及び端末識別子を受けた仕様登録サーバは、仕様パラメータを登録する。この登録の際、仕様登録サーバでは、登録された仕様パラメータにユニークに対応する識別子、例えば、インターネット利用のアクセス時に使用されるＵＲＬを付与する。
【００３４】
仕様パラメータの登録を完了すると、仕様登録サーバでは、仕様登録通知手段が、先に管理者端末装置から受信した端末識別子により特定される移動通信端末装置へ、新たな仕様パラメータが登録された旨を、当該新たな仕様パラメータの識別子を添えて、仕様登録通知として送る。この仕様登録通知を受けた移動通信端末装置では、仕様パラメータ取得手段が、新たな仕様パラメータの識別子を利用して、仕様登録サーバから仕様パラメータを取得する。
【００３５】
こうして仕様パラメータを取得した移動通信端末装置では、機能実装手段が、取得された前記仕様パラメータに従って機能実装を行う。この結果、管理者端末装置で決定された機能動作の仕様による動作が、特定グループに属する利用者が保有する移動通信端末装置において可能となる。
なお、本発明の機能動作設定システムでは、当該仕様パラメータには、当該操作入力手段における少なくとも１つのハードキーの機能指定が含まれている。
【００３６】
すなわち、本発明の機能設定システムでは、上述した本発明の機能設定方法を仕様することができる。したがって、本発明の機能動作設定システムによれば、特定グループに属する利用者が保有する移動通信端末装置の機能動作の仕様を、当該特定グループの管理者の主導のもとで、簡易にかつ確実に、設定し、管理することができる。
また、本発明の機能動作設定システムによれば、特定グループ内で共通した機能を有するファンクションキーとして、移動通信端末装置の操作入力手段における少なくとも１つのハードキーを設定できるので、特定グループにおいて共通的に使用されることが多いと予測される操作を、簡易な操作で実現することができる操作環境をグループ構成員に適用することができる。
【００３７】
本発明の機能動作設定システムでは、前記移動通信端末装置が、前記機能実装手段による機能実装を完了したときに、機能実装完了報告を前記仕様登録サーバへ報告する実装完了報告手段を更に備え、前記仕様登録サーバが、前記機能実装完了報告を受けたときに、前記機能実装完了報告を前記管理者端末装置へ転送する実装完了転送手段を更に備えるようにすることができる。この場合には、上記の機能実装を完了した移動通信端末装置では、実装完了報告手段が、機能実装完了報告を仕様登録サーバへ報告する。この報告を受けた仕様登録サーバでは、実装完了転送手段が、当該機能実装完了報告を管理者端末装置へ転送する。このため、管理者端末装置において、設定しようとした機能が設定対象として指定した移動端末装置に実際に実装されたことを確認することができる。
【００３８】
また、本発明の機能動作設定システムでは、前記仕様登録サーバが、ショートメッセージ形式で前記仕様登録通知を前記移動通信端末装置へ通知するようにすることができる。この場合には、情報伝達の確実性が高く、かつ、廉価なショートメッセージサービスを利用して、仕様登録サーバが、該当する移動通信端末装置へ仕様登録通知を行うことができる。このため、特定グループにとって、確実に、かつ、廉価に、仕様登録サーバから、該当する移動通信端末装置への仕様登録通知を行うことができる。
【００３９】
また、本発明の機能動作設定システムでは、前記管理者端末装置が、前記移動通信端末装置の前記表示手段に直ちに表示されるべき適時情報のみを、前記移動通信端末装置の端末識別子とともに前記仕様登録サーバへ送信する適時情報送信手段を更に備え、前記仕様登録サーバが、前記適時情報を受けたときに、新たな適時情報が登録された旨の適時情報登録通知を前記移動通信端末装置へ送る適時表示登録通知手段を更に備え、前記移動通信端末装置が、前記適時情報登録通知を受けた場合に、前記仕様登録サーバから前記適時情報を取得する適時情報取得手段と；前記適時情報取得手段により取得された前記適時情報を前記表示手段に表示させる適時情報表示制御手段と；を更に備えるようにすることができる。
【００４０】
この場合には、適時情報として特定グループのグループ構成員の少なくとも一部に提供したい情報が発生し、当該少なくとも一部のグループ構成員に対して適時情報のみを変更したい場合には、まず、管理者端末装置における適時情報送信手段が、当該適時情報のみを、当該適時情報を通知すべき移動通信端末装置の端末識別子とともに仕様登録サーバへ送信する。この適時情報を受けた仕様登録サーバは、当該適時情報を登録する。この登録の際、仕様登録サーバでは、上述した仕様パラメータの場合と同様にして、登録された適時情報にユニークに対応する識別子、例えば、インターネット利用のアクセス時に使用されるＵＲＬを付与する。
【００４１】
適時情報の登録を完了すると、仕様登録サーバでは、適時情報登録通知手段が、管理者端末装置から当該適時情報とともに受信した端末識別子により特定される移動通信端末装置へ、新たな適時情報が登録された旨を、当該新たな適時情報の識別子を添えて、適時情報登録通知として送る。この適時情報を受けた移動通信端末装置では、適時情報取得手段が、新たな適時情報の識別子を利用して、仕様登録サーバから当該適時情報を取得する。
【００４２】
こうして適時情報を取得した移動通信端末装置では、適時情報表示制御手段が、表示手段に当該適時情報を表示する。この結果、管理者端末装置で指定された適時情報が、当該移動通信端末装置の利用者に提供される。
【００４３】
したがって、当該特定グループの管理者の主導のもとで、適時情報が、簡易にかつ迅速に、所望のグループ構成員に提供される。
【００４４】
ここで、前記移動通信端末装置が、前記適時情報表示手段による表示を開始したときに、適時表示完了報告を前記仕様登録サーバへ報告する適時表示完了報告手段を更に備え、前記仕様登録サーバが、前記適時表示完了報告を受けたときに、前記適時表示完了報告を前記管理者端末装置へ転送する実装完了転送手段を更に備えるようにすることができる。この場合には、上記の適時情報の表示を開始した移動通信端末装置において、適時表示完了報告手段が、適時表示完了報告を仕様登録サーバへ報告する。この報告を受けた仕様登録サーバでは、適時表示転送手段が、当該適時表示完了報告を管理者端末装置へ転送する。このため、管理者端末装置において、新たな適時情報が提供対象として指定した移動端末装置に実際に表示されたことを確認することができる。
【００４５】
また、前記仕様登録サーバが、ショートメッセージ形式で前記適時情報登録通知を前記移動通信端末装置へ通知するようにすることができる。この場合には、この場合には、情報伝達の確実性が高く、かつ、廉価なショートメッセージサービスを利用して、仕様登録サーバが、該当する移動通信端末装置へ適時情報登録通知を行うことができる。このため、特定グループにとって、確実に、かつ、廉価に、仕様登録サーバから、該当する移動通信端末装置への適時情報登録通知を行うことができる。
【発明の効果】
【００６２】
以上説明したように、本発明の機能動作設定方法及び機能動作設定システムによれば、特定グループに属する利用者が保有する移動通信端末装置の機能動作の仕様を、当該特定グループの管理者の主導のもとで、簡易にかつ確実に、設定し、管理することができるという効果を奏することができる。
【発明を実施するための最良の形態】
【００６５】
以下、本発明の一実施形態を、図１〜図１３を参照しつつ説明する。なお、これらの図に
おいては、同一又は同等の要素には同一の符号を付し、重複する説明を省略する。
【００６６】
［構成］
図１には、本発明の一実施形態に係る機能設定システム１００の構成が模式的に示されている。図１に示されるように、この機能設定システム１００は、携帯電話装置１０1，…と、移動通信網システム４０と、インターネット網システム４５とを備えている。また、機能設定システム１００は、管理者端末装置６０と、仕様登録サーバ７０と、ゲートウェイ装置８０とを備えている。
【００６７】
ここで、携帯電話装置１０1，…は、特定のクループに属するグループ構成員のそれぞれが保有するものとなっている。そして、これらの携帯電話装置１０1，…の機能動作の仕様を、管理者端末装置６０を利用して管理できるようになっている。
【００６８】
図２には、上記の携帯電話装置１０j（ｊ＝１，…）の外観構成が概略的に示されている。この図２に示されるように、携帯電話装置１０jは、（ａ）電話番号を入力するためのテンキー、及び、動作モードの切替等の各種指令を入力するためのファンクションキーを有する操作部１２と、（ｂ）携帯電話装置１０の操作案内、動作状況、受信メッセージ等を表示する液晶表示装置を有する表示部１３と。（ｃ）通話時に通信相手から送られてきた音声信号を再生する通話用スピーカ１４とを備えている。また、携帯電話装置１０jは、（ｄ）集音時に音を入力したり、通話時に音声を入力したりするためのマイクロフォン１５と、（ｅ）着信音や案内音を発生するための案内用スピーカ１６と、（ｆ）基地局と無線通信を行うためのアンテナ１７とを備えている。
【００６９】
図３には、携帯電話装置１０の内部の情報処理システムである内部システム１１が概略的に示されている。この図３に示されるように、内部システム１１は、携帯電話装置１０のシステム全体を統括制御する制御部２１と、アンテナ１７を介して基地局と無線通信を行う送受信部２２とを備えている。ここで、制御部２１は、不図示の中央処理装置（ＣＰＵ）、記憶素子等を備えて構成されており。機能動作プログラム２７と、機能設定プログラム２８とが動作するようになっている。
【００７０】
図４に示されるように、機能動作プログラム２７は、基本処理部３１と、グループ機能アプリケーション３５とを備えている。ここで、グループ機能アプリケーション３５は、上述した特定グループに特有な機能を実現するプログラムであり、異なる実行環境においても汎用的に用いることができる言語、いわゆるＪＡＶＡ（登録商標）等で記述されている。かかるグループ機能アプリケーション３５は、例えば、移動通信網システム４０を利用したプログラムダウンロードを行ったり、記憶媒体を介したりして、携帯電話装置１０jが取得する。
【００７１】
このグループ機能アプリケーション３５が動作している場合には、表示部１３における表示面が、例えば、図５に示されるように領域分割される。この図５には、表示面が、システム領域、ロゴ領域、（ＷＥＢキー領域又はカレンダ領域）、テロップ表示領域及びソフトキー領域に分割される例が示されている。なお、以下の説明においては、グループ機能アプリケーション３５が動作している場合には、表示部１３の表示画面が図５の態様で領域分割されるものとして説明する。
【００７２】
図４に戻り、基本処理部３１は、メールの送受信やインターネットの接続の際に、グループ機能アプリケーション３５や機能設定プログラム２８と送受信部２２との間で情報の授受を行う通信制御部３２と、表示部１３を利用して出力を行う際に、グループ機能アプリケーション３５と、操作部１２や表示部１３等との間で情報の授受を行う内部制御部３３とを備えている。この基本処理部３１は、工場出荷時に既に携帯電話装置１０jにインストールされている。
【００７３】
なお、機能プログラム２７は、グループ機能アプリケーション３５以外の様々な汎用アプリケーションを備えることができる。これらの汎用アプリケーションも、グループ機能アプリケーション３５と同様に、基本処理部３１と連係して動作する。ここで、機能動作プログラム２７におけるグループ機能アプリケーション３５以外の汎用アプリケーションは、工場出荷時にプレインストールされている場合もあるし、グループ機能アプリケーション３５と同様に、移動通信網システム４０を利用したプログラムダウンロードを行ったり、記憶媒体を介したりして、携帯電話装置１０jが取得する。
【００７４】
上記の機能設定プログラム２８は、グループ機能アプリケーション３５の機能仕様を設定する。この機能設定プログラム２８は、図４に示されるように、ショートメッセージ通信部５１と、仕様パラメータ取得部５２と、仕様パラメータ解析部５３と、機能実装部５４とを備えている。また、機能設定プログラム２８は、適時情報取得部５５と、適時情報通知部５６と、完了報告部５９とを備えている。なお、機能設定プログラム２８は、上述したグループ機能アプリケーション３５と同様に、ＪＡＶＡ（登録商標）等の異なる実行環境においても汎用的に用いることができる言語で記述されており、例えば、移動通信網システム４０を利用したプログラムダウンロードを行ったり、記憶媒体を介したりして、携帯電話装置１０jが取得する。
【００７５】
ショートメッセージ通信部５１は、基本処理部３１を介して、仕様登録サーバ７０からのショートメッセージを受ける。かかる仕様登録サーバ７０からのショートメッセージには、仕様パラメータ登録通知と適時情報登録通知とがある。ここで、仕様パラメータ登録通知には、新たに登録された仕様パラメータのＵＲＬが含まれている。また、適時情報登録通知には、新たに登録された適時情報のＵＲＬが含まれている。
【００７６】
仕様パラメータ登録通知を受けた場合には、ショートメッセージ通信部５１は、仕様パラメータ登録通知を受けた旨及び仕様パラメータ登録通知に含まれているＵＲＬを仕様パラメータ取得部５２に報告する。また、適時情報登録通知を受けた場合には、ショートメッセージ通信部５１は、適時情報登録通知を受けた旨及び適時情報登録通知に含まれているＵＲＬを適時情報取得部５５に報告する。
【００７７】
また、ショートメッセージ通信部５１は、完了報告部５９からの完了報告を受ける。完了報告を受けたショートメッセージ通信部５１は、基本処理部３１に対して、完了報告をショートメッセージ形式で、仕様登録サーバ７０へ送信することを要求する。この結果、携帯電話装置１０jから、移動通信網システムを介して、完了報告のショートメッセージが仕様登録サーバ７０へ送られる。なお、上記の完了報告としては、後述する仕様パラメータ取得の完了報告、機能実装の完了報告、適時情報取得の完了報告及び適時情報表示開始の完了報告がある。
【００７８】
仕様パラメータ取得部５２は、ショートメッセージ通信部５１から仕様パラメータ登録通知を受けた旨及び仕様パラメータ登録のＵＲＬを受けると、当該ＵＲＬを利用して、基本制御部３１、送受信部２２、移動通信網システム４０、ゲートウェイ装置８０及びインターネット網システムを介して、仕様登録サーバ７０から仕様パラメータを取得する。こうして取得された仕様パラメータは、仕様パラメータ取得部５２から仕様パラメータ解析部５３へ送られる。
【００７９】
また、仕様パラメータ取得部５２は、仕様パラメータの取得を完了すると、その旨を完了報告部５９へ報告する。
【００８０】
仕様パラメータ解析部５３は、仕様パラメータ取得部５２から受けた仕様パラメータを解析する。この解析の結果は、仕様パラメータ解析部５３から機能実装部５４へ送られる。
【００８１】
機能実装部５４は、仕様パラメータ解析部５３から受けた解析結果に基づいて、グループ機能アプリケーション３５が有するべき機能を、グループ機能アプリケーション３５に対して実装する。この機能実装が完了すると、機能実装部５４は、機能実装の完了を完了報告部５９へ報告する。
【００８２】
適時情報取得部５５は、ショートメッセージ通信部５１から適時情報登録通知を受けた旨及び適時情報登録のＵＲＬを受けると、当該ＵＲＬを利用して、仕様パラメータの取得の場合と同様にして、基本制御部３１、送受信部２２、移動通信網システム４０、ゲートウェイ装置８０及びインターネット網システムを介して、仕様登録サーバ７０から適時情報を取得する。こうして取得された適時情報は、適時情報取得部５５から適時情報通知部５６へ送られる。
【００８３】
また、適時情報取得部５５は、適時情報の取得を完了すると、その旨を完了報告部５９へ報告する。
【００８４】
適時情報通知部５６は、適時情報取得部５５から受けた適時情報を受けると、当該適時情報をグループ機能アプリケーション３５へ送る。この結果、適時情報の表示部１３への表示が開始される。こうして適時情報表示の開始が完了すると、適時情報通知部５６は、適時情報表示開始の完了を完了報告部５９へ報告する。
【００８５】
完了報告部５９は、仕様パラメータ取得部５２、機能実装部５４、適時情報取得部５５又は適時情報通知部５６からの動作完了の報告を受ける。そして、完了報告部５９は、受信した報告をショートメッセージ形式で、仕様登録サーバ７０へ向けて送るべき旨をショートメッセージ通信部５１へ送る。
【００８６】
図１に戻り、移動通信網システムは、（ａ）移動通信網４１と、（ｂ）移動通信網４１と接続され、携帯電話装置１０j（ｊ＝１，…）と無線通信に利用される基地局４２と、（ｃ）移動通信網４１と接続され、ショートメッセージサービスを行うショートメッセージサーバ４３とを備えている。なお、基地局４１は一般に複数であり、携帯電話装置１０jは、いずれの基地局と無線通信を行ってもよいが、ここでは代表的に一つであるとして示している。
【００８７】
管理者端末装置６０は、特定グループに属するグループ構成員が保有する携帯電話装置１０1…の機能動作の仕様を決定し、管理する。この管理者端末装置６０は、図６に示されるように、機能設定処理部６１と、表示装置６２と、ストロークデバイスであるキーボード６３と、ポインティングデバイスであるマウス６４と、インターネット網との間で通信を行うための通信部６５とを備えている。ここで、構成要素６２〜６５は、機能設定処理部６１に接続されている。
【００８８】
機能設定処理部６１は、管理者端末装置６０の動作の制御を行う。この機能設定処理部６１は、仕様パラメータ処理部６７と、適時情報処理部６８とを備えている。
【００８９】
仕様パラメータ処理部６７は、オペレータによる携帯電話装置１０1…の機能動作の仕様の決定を支援する。かかる仕様の決定は、例えば、管理者端末装置６０のオペレータが、予め定められている設定可能な機能動作の仕様が列挙された仕様決定用画面を見ながら、設定する機能動作の仕様を指定するパラメータを入力することにより行われる。こうした仕様決定用画面の例が、図７に示されている。
【００９０】
この図７に示される適時情報決定用画面では、背景色、特定グループのロゴ、ＷＥＢキーの個数、形状、色及びＷＥＢキーのそれぞれに対応するＵＲＬ、左ソフトキーの機能、左ソフトキーの機能、操作部１２におけるテンキーの各キーを長押しした時の通話用発信先の電話番号、並びに、テロップ表示の有無及びテロップ表示する適時情報が設定できるようになっている。以下の説明においては、携帯電話装置１０1，…の機能動作の仕様は、図７の仕様決定用画面を利用して決定されるものとする。なお、図７の例において、ＷＥＢキーの数として「０」個が指定されると、カレンダ表示が選択されるようになっている。
【００９１】
なお、機能動作の仕様は、特定グループに属する者の全員に共通の仕様である場合もあるし、特定グループに属する特定者からの要望に応じて、共通仕様からの変形の許容範囲でカスタマイズされた仕様である場合もある。
【００９２】
オペレータが、表示装置６２に表示されている仕様決定用画面を見ながら、キーボード６３やマウス６４を操作して仕様パラメータを入力し、機能動作の仕様を決定する。この後、当該仕様パラメータと、当該機能仕様が実装されるべき携帯電話装置の識別子とが、仕様パラメータ処理部６７から、通信部６５及びインターネット網システム４５を介して、仕様登録サーバ７０へ送られる。
【００９３】
また、仕様パラメータ処理部６７は、仕様登録サーバ７０からの仕様機能の実装状況情報を、インターネット網システム４５及び通信部６５を介して受ける。そして、仕様パラメータ処理部６７は、受信した仕様機能の実装状況情報に基づいて、当該機能仕様が実装されるべき携帯電話装置のそれぞれの機能実装状態を認識し、必要に応じて、当該機能実装状態を表示装置６２に表示する。なお、仕様機能の実装状況情報の詳細については、後述する。
【００９４】
適時情報処理部６８は、オペレータによる携帯電話装置１０1…において直ちに表示されるべき適時情報の決定を支援する。かかる適時情報の決定は、例えば、管理者端末装置６０のオペレータが、予め定められている適時情報決定用画面を見ながら、設定する適時情報を入力することにより行われる。こうした適時情報決定用画面の例が、図８に示されている。
【００９５】
なお、適時情報は、特定グループに属する者の全員に共通に提供される場合もあるし、特定グループに属する一部の者に提供される場合もある。
【００９６】
オペレータが、表示装置６２に表示されている適時情報決定用画面を見ながら、キーボード６３やマウス６４を操作して適時情報及び表示期限を入力し、適時情報を決定する。この後、適時情報と、当該適時情報が適用されるべき携帯電話装置の識別子とが、適時情報処理部６８から、通信部６５及びインターネット網システム４５を介して、仕様登録サーバ７０へ送られる。
【００９７】
また、適時情報処理部６８は、仕様登録サーバ７０からの適時情報の表示状況情報を、インターネット網システム４５及び通信部６５を介して受ける。そして、適時情報処理部６８は、受信した適時情報の表示状況情報に基づいて、当該適時情報が表示されるべき携帯電話装置のそれぞれの表示状況を認識し、必要に応じて、当該表示状況を表示装置６２に表示する。なお、適時情報の表示状況情報の詳細については、後述する。
【００９８】
図１に戻り、仕様登録サーバ７０は、移動通信網システム４０及びインターネット網システム４５の双方に接続される。この管理者端末装置６０からの仕様パラメータの登録、携帯電話装置１０1…への仕様パラメータ登録の通知、携帯電話装置１０1…からの仕様機能の実装態情報の管理者端末装置６０への転送を行う。また、仕様登録サーバ７０は、管理者端末装置６０からの適時情報の登録、携帯電話装置１０1…への適時表示登録の通知、携帯電話装置１０1…からの適時情報の表示状況情報の管理者端末装置６０への転送を行う。
【００９９】
かかる機能を有する仕様登録サーバ７０は、図９に示されるように、仕様情報処理部７１Ｓと、適時情報処理部７１Ｔと、記憶部７６とを備えている。ここで、記憶部７６は、仕様パラメータ、適時情報等の様々なデータを記憶する。
【０１００】
仕様情報処理部７１Ｓは、通信部７２Ｓと、仕様情報登録処理部７３Ｓとを備えている。また、仕様情報処理部７１Ｓは、完了報告転送部７４Ｓと、ショートメッセージ通信部７５Ｓとを備えている。
【０１０１】
通信部７２Ｓは、インターネット網システム４５と接続される。そして、通信部７２Ｓは、仕様情報処理部７１Ｓとしてのインターネット網システム４５との通信の際に使用される。
【０１０２】
仕様情報登録処理部７３Ｓは、通信部７２Ｓを介して、管理者端末装置６０からの仕様パラメータ及び当該機能仕様が実装されるべき携帯電話装置の識別子を受ける。引き続き、仕様情報登録処理部７３Ｓは、受信した仕様パラメータを記憶部７６に登録するとともに、登録された仕様パラメータにＵＲＬを付与する。そして、仕様情報登録処理部７３Ｓは、当該ＵＲＬの指定を含む仕様登録通知を、ショートメッセージ通信部７５Ｓ及び移動通信網システム４０を介して、ショートメッセージ形式で、当該識別子に対応する携帯電話装置に送る。
【０１０３】
また、仕様情報登録処理部７３Ｓは、当該ＵＲＬを指定した参照要求を、当該ＵＲＬを通知した携帯電話装置から移動通信網システム４０、ゲートウェイ装置８０、インターネット網システム４５及び通信部７２を介して受けると、当該ＵＲＬに対応する仕様パラメータの閲覧を許可し、当該仕様パラメータを、参照要求を行った携帯電話装置へ送る。
【０１０４】
完了報告転送部７４Ｓは、移動通信網システム４０及びショートメッセージ通信部７５Ｓを介して、仕様パラメータの取得の完了報告及び機能実装の完了報告を受ける。そして、完了報告転送部７４Ｓは、仕様パラメータ取得の完了報告及び機能実装の完了報告を、通信部７２Ｓ及びインターネット網システム４５を介して、管理者端末装置６０へ転送する。
【０１０５】
適時情報処理部７１Ｔは、通信部７２Ｔと、適時情報登録処理部７３Ｔとを備えている。また、適時情報処理部７１Ｔは、完了報告転送部７４Ｔと、ショートメッセージ通信部７５Ｔとを備えている。
【０１０６】
通信部７２Ｔは、インターネット網システム４５と接続される。そして、通信部７２Ｔは、適時情報処理部７１Ｔとしてのインターネット網システム４５との通信の際に使用される。
【０１０７】
適時情報登録処理部７３Ｔは、通信部７２Ｔを介して、管理者端末装置６０からの適時情報及び当該適時情報が直ちに表示されるべき携帯電話装置の識別子を受ける。引き続き、適時情報登録処理部７３Ｔは、受信した適時情報を記憶部７６に登録するとともに、登録された適時情報にＵＲＬを付与する。そして、適時情報登録処理部７３Ｔは、当該ＵＲＬの指定を含む適時情報登録通知を、ショートメッセージ通信部７５Ｔ及び移動通信網システム４０を介して、ショートメッセージ形式で、当該識別子に対応する携帯電話装置に送る。
【０１０８】
また、適時情報登録処理部７３Ｔは、当該ＵＲＬを指定した参照要求を、当該ＵＲＬを通知した携帯電話装置から移動通信網システム４０、ゲートウェイ装置８０、インターネット網システム４５及び通信部７２Ｔを介して受けると、当該ＵＲＬに対応する適時情報の閲覧を許可し、当該適時情報を、参照要求を行った携帯電話装置へ送る。
【０１０９】
完了報告転送部７４Ｔは、移動通信網システム４０及びショートメッセージ通信部７５Ｔを介して、適時情報の取得の完了報告及び適時情報表示開始の完了報告を受ける。そして、完了報告転送部７４Ｔは、適時情報の取得の完了報告及び適時情報表示開始の完了報告を、通信部７２Ｔ及びインターネット網システム４５を介して、管理者端末装置６０へ転送する。
【０１１０】
図１に戻り、ゲートウェイ装置８０は、移動通信網システム４０とインターネット網システム４５との論理的な接続を仲介する。
【０１１１】
［動作］
次に、上述の構成された機能設定システム１００における携帯電話装置１００j（ｊ＝１，…）の機能設定動作について説明する。
【０１１２】
＜仕様機能の実装＞
携帯電話装置１００jへの仕様機能の実装に際しては、図１０に示されるように、ステップＳ１１において、管理者端末装置６０で機能動作の仕様が決定される。かかる仕様の決定に際しては、管理者端末装置６０のオペレータが、表示装置６２に表示されている仕様決定用画面を見ながら、キーボード６３やマウス６４を操作して入力を行うことにより、機能動作の仕様を決定する。なお、決定される機能動作の仕様（機能仕様）は、特定グループに属する者の全員に共通の仕様である場合もあるし、特定グループに属する特定者からの要望に応じて、共通仕様からの変形の許容範囲でカスタマイズされた仕様である場合もある。
【０１１３】
こうして機能仕様が決定されると、管理者端末装置６０から仕様登録サーバ７０へ、インターネット網システム４５を介して、当該仕様を反映した仕様パラメータと、当該機能仕様が実装されるべき携帯電話装置の識別子とが送られる。この仕様パラメータ及び識別子を受けると、仕様登録サーバ７０は、ステップＳ１２の仕様登録処理を開始する。
【０１１４】
この仕様登録処理では、まず、仕様登録サーバ７０が、仕様パラメータ受信の報告を管理者端末装置６０へ返送する。この報告の受信を確認することにより、管理者端末装置６０のオペレータは、当該仕様パラメータ及び当該識別子が仕様登録サーバ７０に到達したことを確認することができる。
【０１１５】
引き続き、仕様登録サーバ７０は、受信した仕様パラメータを記憶部７６に登録するとともに、ＵＲＬを付与する。そして、仕様登録サーバ７０は、当該ＵＲＬの指定を含む仕様登録通知を、移動通信網システム４０を介して、ショートメッセージ形式で、当該識別子に対応する携帯電話装置１０jに送る。この後、仕様登録サーバ７０は、仕様登録通知を携帯電話装置１０jに送信した旨の登録通知完了を管理者端末装置６０へ送る。この仕様登録通知完了の受信を確認することにより、管理者端末装置６０のオペレータは、当該仕様パラメータの登録通知が携帯電話装置１０jへ送られたことを確認することができる。
【０１１６】
仕様登録サーバ７０からの仕様登録通知を受けた携帯電話装置１０jは、ステップＳ１３の仕様取得処理を開始する。この仕様取得処理では、まず、仕様登録通知で指定されたＵＲＬに基づいて、携帯電話装置１０jが、移動通信網システム４０、ゲートウェイ装置８０及びインターネット網システム４５を介して、仕様参照要求を仕様登録サーバ７０へ送る。この仕様参照要求を受けた仕様登録サーバ７０は、当該ＵＲＬに対応する仕様パラメータの閲覧を許可し、当該仕様パラメータを、インターネット網システム４５、ゲートウェイ装置８０及び移動通信網システム４０を介して、参照要求を行った携帯電話装置１０jへ送る。この結果、当該仕様パラメータが携帯電話装置１０jにより取得される
【０１１７】
この後、携帯電話装置１０jは、仕様パラメータの取得を完了した旨を仕様取得報告として、ショートメッセージ形式で、移動通信網システム４０を介して、仕様登録サーバ７０へ送る。この仕様取得報告を受けた仕様登録サーバ７０は、インターネット網システム４５を介して、当該仕様取得報告を到達完了として管理者端末装置６０へ転送する。この到達完了の受信を確認することにより、管理者端末装置６０のオペレータは、当該仕様パラメータが携帯電話装置１０jに到達したことを確認することができる。
【０１１８】
仕様パラメータを取得した携帯電話装置１０jでは、ステップＳ１４において、仕様パラメータの解析が行われる。引き続き、携帯電話装置１０jでは、ステップＳ１５において、仕様パラメータの解析結果に基づいて、当該仕様パラメータに対応する機能の実装が行われる。
【０１１９】
かかる機能実装が完了すると、携帯電話装置１０jは、機能実装が完了した旨の実装完了を、ショートメッセージ形式で、移動通信網システム４０を介して、仕様登録サーバ７０へ送る。この実装完了を受けた仕様登録サーバ７０は、インターネット網システム４５を介して、当該実装完了を管理者端末装置６０へ転送する。この実装完了の受信を確認することにより、管理者端末装置６０のオペレータは、当該仕様パラメータに対応する機能が携帯電話装置１０jに実装されたことを確認することができる。
【０１２０】
こうして機能実装が完了すると、携帯電話装置１０jでは、ステップＳ１６において、新たに実装された機能の動作が実行される。こうして、当該機能が実行された場合の表示部１３における画面表示の一例が図１１に示されている。この図１１の画面表示の例は、上述した図７に示される内容の仕様決定がなされた場合の画面表示例である。
【０１２１】
また、機能が実行された場合の表示部１３における画面表示の他の例が図１２に示されている。この図１２の画面表示の例は、上述した図１１におけるＷＥＢキー表示をカンレンダ表示に変更した場合の画面表示例である。
【０１２２】
＜適時情報の変更＞
次に、以上のように機能設定された携帯電話装置１０jにおいてテロップ表示される適時情報のみを変更する場合の機能設定システム１００における動作を説明する。
【０１２３】
かかる適時情報変更に際しては、図１３に示されるように、ステップＳ２１において、管理者端末装置６０で新たな適時情報が決定される。かかる新たな適時情報の決定に際しては、管理者端末装置６０のオペレータが、表示装置６２に表示されている適時情報決定用画面を見ながら、キーボード６３やマウス６４を操作して適時情報及び表示期限を入力し、適時情報を決定する。なお、決定される適時情報は、機能仕様の場合と同様に、特定グループに属する者の全員に共通の場合もあるし、特定グループに属する者の一部である場合もある。
【０１２４】
こうして適時情報が決定されると、管理者端末装置６０から仕様登録サーバ７０へ、インターネット網システム４５を介して、適時情報と、当該適時情報が直ちに表示されるべき携帯電話装置の識別子とが送られる。この適時情報及び識別子を受けると、仕様登録サーバ７０は、ステップＳ２２の適時情報登録処理を開始する。
【０１２５】
この適時情報登録処理では、まず、仕様登録サーバ７０が、適時情報受信の報告を管理者端末装置６０へ返送する。この報告の受信を確認することにより、管理者端末装置６０のオペレータは、当該適時情報及び当該識別子が仕様登録サーバ７０に到達したことを確認することができる。
【０１２６】
引き続き、仕様登録サーバ７０は、受信した適時情報を記憶部７６に登録するとともに、ＵＲＬを付与する。そして、仕様登録サーバ７０は、当該ＵＲＬの指定を含む適時情報登録通知を、移動通信網システム４０を介して、ショートメッセージ形式で、当該識別子に対応する携帯電話装置１０jに送る。この後、仕様登録サーバ７０は、適時情報登録通知を携帯電話装置１０jに送信した旨の登録通知完了を管理者端末装置６０へ送る。この適時情報登録通知完了の受信を確認することにより、管理者端末装置６０のオペレータは、当該適時情報の登録通知が携帯電話装置１０jへ送られたことを確認することができる。
【０１２７】
仕様登録サーバ７０からの適時情報登録通知を受けた携帯電話装置１０jは、ステップＳ２３の適時情報取得処理を開始する。この適時情報取得処理では、まず、適時情報登録通知で指定されたＵＲＬに基づいて、携帯電話装置１０jが、移動通信網システム４０、ゲートウェイ装置８０及びインターネット網システム４５を介して、適時情報参照要求を仕様登録サーバ７０へ送る。この適時情報参照要求を受けた仕様登録サーバ７０は、当該ＵＲＬに対応する適時情報の閲覧を許可し、当該適時情報を、インターネット網システム４５、ゲートウェイ装置８０及び移動通信網システム４０を介して、参照要求を行った携帯電話装置１０jへ送る。この結果、当該適時情報が携帯電話装置１０jにより取得される
【０１２８】
この後、携帯電話装置１０jは、適時情報の取得を完了した旨を適時情報取得報告として、ショートメッセージ形式で、移動通信網システム４０を介して、仕様登録サーバ７０へ送る。この適時情報取得報告を受けた仕様登録サーバ７０は、インターネット網システム４５を介して、当該適時情報取得報告を到達完了として管理者端末装置６０へ転送する。この到達完了の受信を確認することにより、管理者端末装置６０のオペレータは、当該適時情報が携帯電話装置１０jに到達したことを確認することができる。
【０１２９】
適時情報を取得した携帯電話装置１０jでは、ステップＳ２４において、適時情報の表示が行われる。こうして、適時情報表示が開始されると、携帯電話装置１０jは、適時情報の表示化し報告を、ショートメッセージ形式で、移動通信網システム４０を介して、仕様登録サーバ７０へ送る。この表示開始報告を受けた仕様登録サーバ７０は、インターネット網システム４５を介して、当該表示開始報告を管理者端末装置６０へ転送する。この表示開始報告の受信を確認することにより、管理者端末装置６０のオペレータは、当該適時情報が携帯電話装置１０jにおいて表示されたことを確認することができる。
【０１３０】
以上説明したように、本実施形態では、特定グループの管理者端末装置６０において、当該特定グループに属する利用者が保有する携帯電話装置１０jにおけるマンマシンインターフェース機能動作を含む機能動作の仕様を決定される。引き続き、管理者端末装置６０が、決定された機能動作の仕様を指定する仕様パラメータを、当該仕様が反映されるべき移動通信端末装置の端末識別子とともに仕様登録サーバ７０へ送信する。この仕様パラメータ及び端末識別子を受けた仕様登録サーバ７０は、仕様パラメータを登録する。この登録の際、仕様登録サーバ７０では、登録された仕様パラメータにユニークに対応するＵＲＬを付与する。
【０１３１】
仕様パラメータの登録を完了すると、仕様登録サーバ７０は、先に管理者端末装置６０から受信した端末識別子により特定される携帯電話装置へ、新たな仕様パラメータが登録された旨を、当該新たな仕様パラメータに対応するＵＲＬを添えて、仕様登録通知として送る。この仕様登録通知を受けた携帯電話装置１０jは、当該ＵＲＬを利用して、仕様登録サーバ７０から仕様パラメータを取得する。
【０１３２】
こうして仕様パラメータを取得した携帯電話装置１０jでは、取得された仕様パラメータを解析した後、解析結果に基づいて、機能実装が行われる。この結果、管理者端末装置６０で決定された機能動作の仕様による動作が、特定グループに属する利用者が保有する移動通信端末装置１０jにおいて可能となる。
【０１３３】
したがって、本実施形態によれば、特定グループに属する利用者が保有する移動通信端末装置の機能動作の仕様を、当該特定グループの管理者の主導のもとで、簡易にかつ確実に、設定し、管理することができる。
【０１３４】
また、本実施形態では、携帯電話装置１０jが、機能実装を完了したときに、機能実装完了報告を仕様登録サーバ７０へ報告するとともに、仕様登録サーバ７０が、機能実装完了報告を受けたときに、当該機能実装完了報告を管理者端末装置６０へ転送する。このため、管理者端末装置６０において、設定しようとした機能が設定対象として指定した携帯電話装置１０jに実際に実装されたことを確認することができる。
【０１３５】
また、本実施形態では、適時情報として特定グループのグループ構成員の少なくとも一部に提供したい情報が発生し、当該少なくとも一部のグループ構成員に対して適時情報のみを変更したい場合には、まず、管理者端末装置６０が、当該適時情報のみを、当該適時情報を通知すべき携帯電話装置の端末識別子とともに仕様登録サーバ７０へ送信する。この適時情報を受けた仕様登録サーバ７０は、当該適時情報を登録する。この登録の際、仕様登録サーバ７０では、上述した仕様パラメータの場合と同様にして、登録された適時情報にユニークに対応するＵＲＬを付与する。
【０１３６】
適時情報の登録を完了すると、仕様登録サーバ７０は、管理者端末装置６０から当該適時情報とともに受信した端末識別子により特定される携帯電話装置１０jへ、新たな適時情報が登録された旨を、当該新たな適時情報のＵＲＬを添えて、適時情報登録通知として送る。この適時情報を受けた携帯電話装置１０jは、新たな適時情報のＵＲＬを利用して、仕様登録サーバ７０から当該適時情報を取得する。
【０１３７】
こうして適時情報を取得した携帯電話装置１０jは、表示手段に当該適時情報を表示する。この結果、管理者端末装置６０で指定された適時情報が、携帯電話装置１０jの利用者に提供される。
【０１３８】
したがって、当該特定グループの管理者の主導のもとで、適時情報が、簡易にかつ迅速に、所望のグループ構成員に提供される。
【０１３９】
また、本実施形態では、適時情報の表示を開始したときに、携帯電話装置１０jが、適時表示完了報告を仕様登録サーバ７０へ報告する。この報告を受けた仕様登録サーバ７０は、当該適時表示完了報告を管理者端末装置６０へ転送する。このため、管理者端末装置６０において、新たな適時情報が提供対象として指定した移動端末装置に実際に表示されたことを確認することができる。
【０１４０】
また、本実施形態では、携帯電話装置１０jと仕様登録サーバ７０との間の通信については、仕様パラメータ及び適時情報の携帯電話装置１０jによる取得の場合を除いて、ショートメッセージ形式で行うようにしている。このため、特定グループにとって、確実に、かつ、廉価に携帯電話装置１０jと仕様登録サーバ７０との間で必要な通信を行うことができる。
【０１４１】
また、本実施形態では、仕様パラメータには、特定グループのロゴ画像のデータが含まれる。このため、特定グループに属する利用者が保有する携帯電話装置１０jの表示部１３に当該ロゴ画像を表示させることができ、当該利用者の特定グループへの帰属意識や、特定グループの他の構成員との一体感を高めることができる。
【０１４２】
また、本実施形態では、仕様パラメータには、少なくとも１つのソフトキーの機能指定が含まれる。この場合には、特定グループ内で共通した機能を有するソフトキーをグループ構成員に提供できるため、特定グループにおいて共通的に使用されることが多いと予測される操作を、簡易な操作で実現することができる操作環境をグループ構成員に適用することができる。
【０１４３】
また、本実施形態では、仕様パラメータには、携帯電話装置１０jの操作部１２における少なくとも１つのハードキーの機能指定が含まれるようにする。このため、特定グループ内で共通した機能を有するファンクションキーとして、携帯電話装置１０jの操作部１２における少なくとも１つのハードキーを設定でき、特定グループにおいて共通的に使用されることが多いと予測される操作を、簡易な操作で実現することができる操作環境をグループ構成員に適用することができる。
【０１４４】
また、本実施形態では、仕様パラメータには、適時情報表示機能指定が含まれる。このため、特定グループのグループ員が知っておくことが望ましいと考えられる適時情報を、適切なタイミングでグループ構成員に知らせることができる。
【０１４５】
本実施形態には、適時情報には、表示期限情報が含まれる。このため、表示期限情報に従って携帯電話装置１０jにおける表示を行うことにより、タイムリな情報では無くなった情報を携帯電話装置１０jの表示し続けることを防止することができる。
【０１４６】
また、本実施形態では、携帯電話装置１０jにおける適時情報表示を表示部１３におけるテロップ表示としている。このため、携帯電話装置１０jの利用者の適時情報の読み飛ばしを有効に防止することができる。
【０１４７】
［実施形態の変形］
本発明は、上記の実施形態に限定されるものではなく、様々な変形が可能である。
【０１４８】
例えば、上記の実施形態では、機能設定システム１００における１つの特定グループに関する機能設定について説明したが、機能設定システム１００には、複数のグループのそれぞれの機能設定を並行して行うようにしてもよい。
【０１４９】
また、上記の実施形態における設定される機能仕様は一例であり、任意の機能仕様を設定するようにすることができる。
【０１５０】
また、上記の実施形態では、携帯電話装置１０jと仕様登録サーバ７０との間の通信については、仕様パラメータ及び適時情報の携帯電話装置１０jによる取得の場合を除いて、ショートメッセージ形式で行うようにしたが、両者間の通信は、ショートメッセージ形式に限定されるものではなく、電子メール形式を利用してもよい。
【０１５１】
また、上記の実施形態では、適時情報を表示部１３にテロップ表示することにしたが、文字数が一定数以下に適時情報が限定できる場合には、静的な表示を行うようにしてもよい。さらに、適時情報を音声により利用者に提供することもできる。
【０１５２】
また、仕様登録サーバ７０が、適時情報をショートメッセージ形式で直接的に携帯電話装置１０Jへ送るようにしてもよい。
【０１５３】
また、上記の実施形態では、携帯電話装置の機能設定について本発明を適用したが、マンマシン機能を有する携帯電話装置以外の移動通信端末装置に本発明を適用できることは、勿論である。
【産業上の利用可能性】
【０１５４】
以上説明したように、本発明の機能動作設定方法及び機能動作設定システムは、特定グループに属する利用者が保有する移動通信端末装置の機能動作の仕様を、当該特定グループの管理者の主導のもとで、設定し、管理する場合に適用することができる。
【図面の簡単な説明】
【０１５７】
【図１】本発明の一実施形態である機能設定システムを概略的に示す図である。
【図２】図１の携帯電話装置の外観構成を概略的に示す図である。
【図３】図２の携帯電話装置の内部システムの構成を概略的に示すブロック図である。
【図４】図３の制御部で動作するソフトウェア構成を概略的に示す図である。
【図５】グループ機能動作時中における図２の表示部の表示画面における領域分割例を説明するための図である。
【図６】図１の管理者端末装置の構成を概略的に示すブロック図である。
【図７】図６の表示装置における仕様決定用画面の例を示す図である。
【図８】図６の表示装置における適時情報決定用画面の例を示す図である。
【図９】図１の仕様登録サーバの構成を概略的に示すブロック図である。
【図１０】図１の機能設定システムにおける機能動作の仕様の設定動作を説明するためのシーケンス図である。
【図１１】機能実装後の携帯電話装置における表示画面例を示す図（その１）である。
【図１２】機能実装後の携帯電話装置における表示画面例を示す図（その２）である。
【図１３】図１の機能設定システムにおける適時情報の表示動作を説明するためのシーケンス図である。
【符号の説明】
【０１５８】
１０j（ｊ＝１，…）…携帯電話装置（移動通信端末装置）、１１…内部システム、１２…操作部、１３…表示部、１４…通話用スピーカ、１５…マイクロフォン、１６…案内用スピーカ、１７…アンテナ、２１…制御部、２２…送受信部、２７…機能動作プログラム、２８…機能設定プログラム、３１…基本処理部、３２…通信制御部、３３…内部制御部、３５…グループ機能アプリケーション、４０…移動通信網システム、４１…移動通信網、４２…基地局、４３…ショートメッセージサーバ、４５…インターネット網システム、５１…ショートメッセージ通信部（受信手段）、５２…仕様パラメータ取得部（仕様パラメータ取得手段）、５３…仕様パラメータ解析部（解析手段）、５４…機能実装部（機能実装手段）、５５…適時情報取得部（適時情報取得手段）、５６…適時情報通知部（適時情報表示制御手段）、５９…完了報告部（実装完了報告手段及び適時表示完了報告手段）、６０…管理者端末装置、６１…機能設定処理部、６２…表示装置、６３…キーボード、６４…マウス、６５…通信部、６７…仕様パラメータ処理部（仕様決定手段及び仕様パラメータ送信手段）、６８…適時情報処理部（適時情報送信手段）、７０…仕様登録サーバ、７１Ｓ…仕様情報処理部、７１Ｔ…適時情報処理部、７２Ｓ，７２Ｔ…通信部、７３Ｓ…仕様情報登録処理部、７３Ｔ…適時情報登録処理部、７４Ｓ…完了報告転送部（実装完了報告転送手段）、７４Ｓ…完了報告転送部（表示完了報告転送手段）、７５Ｓ，７５Ｔ…ショートメッセージ通信部、７６…記憶部。
【図１】
0005095360.tif 000002
【図２】
0005095360.tif 000003
【図３】
0005095360.tif 000004
【図４】
0005095360.tif 000005
【図５】
0005095360.tif 000006
【図６】
0005095360.tif 000007
【図９】
0005095360.tif 000008
【図１０】
0005095360.tif 000009
【図１３】
0005095360.tif 000010
【図７】
0005095360.tif 000011
【図８】
0005095360.tif 000012
【図１１】
0005095360.tif 000013
【図１２】
0005095360.tif 000014